(57)【要約】      （修正有）【課題】チャンネル操作の使い勝手を向上した放送受信機の提供。【解決手段】ＤＶＤレコーダのメイン制御部は、録画部、第１セレクタを制御すると共に、前記チューナ制御部にチャンネルの選局の指示を行う。チューナ部には、チューナ制御部があり、チューナの動作を制御する。第１セレクタが外部入力部から入力した映像信号を出力しているときに、リモコンのチャンネルアップキーが押されると、メイン制御部は、第１セレクタをチューナ部の出力に切り換え、チューナ制御部に、チャンネル番号を最大の番号にするよう指示する。第１セレクタが外部入力部から入力した映像信号を出力しているときに、チャンネルダウンキーが押されると、メイン制御部は、第１セレクタをチューナ部の出力に切り換え、チューナ制御部に、チャンネル番号を最小の番号にするよう指示する。【選択図】図２
2008187584.tif 000002
【特許請求の範囲】
【請求項１】
デジタル放送を受信して、映像信号を出力するチューナと、前記チューナを制御するチューナ制御部と、を有するチューナ部と、
装置本体の外部から映像信号を入力する外部入力部と、
前記チューナ部により出力された映像信号と、前記外部入力部から入力した映像信号と、を切り換えて出力する第１セレクタと、
前記第１セレクタの出力を制御すると共に、前記チューナ制御部にチャンネルＣＨ１〜ＣＨｎ（ｎは自然数とする。）の選局の指示を行うメイン制御部と、
前記メイン制御部への指示入力を受け付ける操作部であって、ＣＨ１からＣＨｎの方向へ昇順で前記チャンネルを変更する指示入力を受け付けるチャンネルアップキー、ＣＨｎからＣＨ１の方向へ降順で前記チャンネルを変更する指示入力を受け付けるチャンネルダウンキーを有する操作部と、を備えるデジタル放送受信装置において、
前記外部入力部は、外部から複数の映像信号を入力して選択する第２セレクタを備え、
前記メイン制御部は、
前記第２セレクタの出力を制御するものであり、以下の（Ａ）、（Ｂ）、（Ｃ１）、（Ｃ２）の制御をする、即ち、
（Ａ）前記第１セレクタが前記チューナ部により出力された映像信号を出力している状態で、かつ、前記チューナが選局しているチャンネルが前記チャンネルＣＨ１〜ＣＨｎのうちの両端のチャンネルであるＣＨ１、ＣＨｎのいずれかの状態で、それぞれ、前記チャンネルダウンキー、チャンネルアップキーから指示入力を受けた場合に、前記第１セレクタが前記外部入力部から入力した映像信号を出力するように制御し、
（Ｂ）前記第１セレクタが前記外部入力部から入力した映像信号を出力している状態で、前記チャンネルダウンキー、チャンネルアップキーから指示入力を受けた場合に、それぞれ、前記外部入力部から入力した映像信号の外部入力チャンネルを降順、昇順で切り換えるよう前記第２セレクタを制御し、
（Ｃ１）前記第１セレクタが前記外部入力部から入力した映像信号を出力している状態で、かつ、前記第２セレクタが前記外部入力チャンネルのうちの最小のチャンネルの映像信号を選択している状態で、前記チャンネルダウンキーから指示入力を受けた場合に、前記第１セレクタが前記チューナ部により出力された映像信号を出力するように制御すると共に、前記チューナが選局するチャンネルを最大のチャンネルＣＨｎにするよう前記チューナ制御部に指示し、
（Ｃ２）前記第１セレクタが前記外部入力部から入力した映像信号を出力している状態で、かつ、前記第２セレクタが前記外部入力チャンネルのうちの最大のチャンネルの映像信号を選択している状態で、前記チャンネルアップキーから指示入力を受けた場合に、前記第１セレクタが前記チューナ部により出力された映像信号を出力するように制御すると共に、前記チューナが選局するチャンネルを最小のチャンネルＣＨ１にするよう前記チューナ制御部に指示する放送受信装置。
【請求項２】
放送を受信して、映像信号を出力するチューナと、前記チューナを制御するチューナ制御部と、を有するチューナ部と、
装置本体の外部から映像信号を入力する外部入力部と、
前記チューナ部により出力された映像信号と、前記外部入力部から入力した映像信号と、を切り換えて出力する第１セレクタと、
前記第１セレクタを制御すると共に、前記チューナ制御部にチャンネルＣＨ１〜ＣＨｎ（ｎは自然数とする。）の選局の指示を行うメイン制御部と、
前記メイン制御部への指示入力を受け付ける操作部であって、ＣＨ１からＣＨｎの方向へ昇順で前記チャンネルを変更する指示入力を受け付けるチャンネルアップキー、ＣＨｎからＣＨ１の方向へ降順で前記チャンネルを変更する指示入力を受け付けるチャンネルダウンキーを有する操作部と、を備える放送受信装置において、
前記メイン制御部は、以下の（Ｃ１’）、（Ｃ２’）の制御をする、即ち、
（Ｃ１’）前記第１セレクタが前記外部入力部から入力した映像信号を出力している状態で、前記チャンネルダウンキーから指示入力を受けた場合に、前記第１セレクタが前記チューナ部により出力された映像信号を出力するように制御すると共に、前記チューナが選局するチャンネルを最大のチャンネルＣＨｎにするよう前記チューナ制御部に指示し、
（Ｃ２’）前記第１セレクタが前記外部入力部から入力した映像信号を出力している状態で、前記チャンネルアップキーから指示入力を受けた場合に、前記第１セレクタが前記チューナ部により出力された映像信号を出力するように制御すると共に、前記チューナが選局するチャンネルを最小のチャンネルＣＨ１にするよう前記チューナ制御部に指示する放送受信装置。
【請求項３】
前記メイン制御部は、
（Ａ）前記第１セレクタが前記チューナ部により出力された映像信号を出力している状態で、かつ、前記チューナが選局しているチャンネルが前記チャンネルＣＨ１〜ＣＨｎのうちの両端のチャンネルであるＣＨ１、ＣＨｎのいずれかの状態で、それぞれ、前記チャンネルダウンキー、チャンネルアップキーから指示入力を受けた場合に、前記第１セレクタが前記外部入力部から入力した映像信号を出力するように制御する請求項２に記載の放送受信装置。
【請求項４】
前記外部入力部は、外部から複数の映像信号を入力して選択する第２セレクタをさらに備え、
前記メイン制御部は、前記第２セレクタの出力を制御するものであり、以下の（Ｂ）、（Ｃ３）の制御をする、即ち、
（Ｂ）前記第１セレクタが前記外部入力部から入力した映像信号を出力している状態で、前記チャンネルダウンキー、チャンネルアップキーから指示入力を受けた場合に、それぞれ、前記外部入力部から入力した映像信号の外部入力チャンネルを降順、昇順で切り換えるよう前記第２セレクタを制御し、
（Ｃ３）前記第１セレクタが前記外部入力部から入力した映像信号を出力している状態で、前記チャンネルダウンキー、チャンネルアップキーから指示入力を受けた場合に、それぞれ、前記外部から入力する映像信号のチャンネルが最小端、最大端の場合のみ、前記第１セレクタが前記チューナ部により出力された映像信号を出力するように制御する請求項２、請求項３のいずれかに記載の放送受信装置。
【発明の詳細な説明】
【技術分野】
【０００１】
本発明は、外部から映像信号を入力する外部入力部を備えた放送受信装置に関し、チャンネルの切り換え動作に特徴がある放送受信装置に関する。
【背景技術】
【０００２】
従来より、デジタル放送を受信するデジタル放送チューナと、外部から映像信号を入力する外部入力部を備え、その受信した放送や外部入力部から入力した映像信号をＤＶＤに録画するＤＶＤレコーダが実用化されている。この装置では、放送を受信するチューナを制御するマイコンは、外部入力部を制御したり、録画した映像信号を再生するための指示を行うメインマイコンとは別のものが使われていた。
【０００３】
図９（Ａ）を用いて、従来のデジタル放送チューナを備えたＤＶＤレコーダのチャンネル操作について説明する。このＤＶＤレコーダを遠隔操作するリモコンは、チューナで受信する放送のチャンネルを昇順、降順に切り換えるチャンネルアップキー、チャンネルダウンキー、チューナで受信する放送のチャンネルと外部入力と切り換えるセレクタキーを有している。図９（Ａ）の点線の矢印は、これらのキーの指示入力が入力されたことを表している。また、実線の矢印は、チャンネルの移動を表している。チャンネルアップキーを連打すると、チューナが選局するチャンネルは、ＣＨ１→ＣＨｎの方向に昇順に移動し、最大のチャンネルから再度最小のチャンネルＣＨ１に戻る。チャンネルダウンキーを連打すると、チューナが選局するチャンネルは、ＣＨｎ→ＣＨ１の方向に降順に移動し、最小のチャンネルから再度最大のチャンネルＣＨ１に戻る。ＣＨｋ（ｋ＝１〜ｎのいずれか）からセレクタキーを押すと、外部入力に切り換わり、外部から入力した映像信号が出力される。外部入力の状態から、チャンネルダウンキーを押し下げると、デジタル放送のＣＨｋ−１に移動する。外部入力の状態から、チャンネルアップキーを押し下げると、デジタル放送のＣＨｋ＋１に移動する。
【０００４】
次に、図９（Ｂ）を用いて、従来のアナログ放送チューナを備えたＤＶＤレコーダのチャンネル操作について説明する。アナログ放送チューナを有するＤＶＤレコーダは、放送を受信するチューナと、外部入力部を制御したり、録画した映像信号を再生するための指示を行うメインマイコンとは共通のものが使われていた。そして、チューナが選局するチャンネルのＣＨ０に外部入力が割り当てられていた。したがって、チャンネルアップキーを連打すると、チューナが選局するチャンネルは、ＣＨ１→ＣＨｎの方向に昇順に移動し、最大のチャンネルＣＨｎから外部入力のチャンネルＣＨ０に戻り、再度ＣＨ１→ＣＨｎの方向に昇順に移動する。また、チャンネルダウンキーを連打すると、チューナが選局するチャンネルは、ＣＨｎ→ＣＨ１の方向に降順に移動し、外部入力のチャンネルＣＨ０に移動し、再度ＣＨｎからＣＨｎの方向に降順に移動する。ＣＨｋ（ｋ＝１〜ｎのいずれか）からセレクタキーを押すと、外部入力のチャンネルＣＨ０に移動する。
【０００５】
また、特許文献１には、チャンネル操作に特徴のあるＢＳ放送デジタル受信機が開示されている。
【特許文献１】特開２００３−３４８４６５公報
【発明の開示】
【発明が解決しようとする課題】
【０００６】
しかしながら、デジタル放送のチューナは単に選局してＤＶＤレコーダに映像信号を供給するだけで、チューナ側のマイコンはメインマイコンと別であった。したがって、チューナ側のマイコンは、現在何が表示器に表示されているのか把握できない。そこで、図８（Ａ）に示すように、外部入力の映像信号が出力されている状態からチャンネルアップキー、チャンネルダウンキーが押されると、メインマイコンは、チューナから出力される映像信号に切り換えると共に、チューナ側のマイコンは、チャンネルを単に１つ増減していた。このようにメインマイコン、チューナ側のマイコンは、別々に動作していたため、ユーザは、外部入力になる前のチューナのチャンネルを覚えていないと、次にどのチャンネルに移動するのか見当がつかず、使い勝手が悪いものとなっていた。
【０００７】
そこで、チューナ側のマイコンとその他の動作が別のマイコンで構成される放送受信装置について、チャンネル操作の使い勝手を向上した放送受信装置を提供することを目的とする。
【課題を解決するための手段】
【０００８】
本発明は、上述の課題を解決するための手段を以下のように構成している。
【０００９】
（１）  放送を受信して、映像信号を出力するチューナと、前記チューナを制御するチューナ制御部と、を有するチューナ部と、
装置本体の外部から映像信号を入力する外部入力部と、
前記チューナ部により出力された映像信号と、前記外部入力部から入力した映像信号と、を切り換えて出力する第１セレクタと、
前記第１セレクタを制御すると共に、前記チューナ制御部にチャンネルＣＨ１〜ＣＨｎ（ｎは自然数とする。）の選局の指示を行うメイン制御部と、
前記メイン制御部への指示入力を受け付ける操作部であって、ＣＨ１からＣＨｎの方向へ昇順で前記チャンネルを変更する指示入力を受け付けるチャンネルアップキー、ＣＨｎからＣＨ１の方向へ降順で前記チャンネルを変更する指示入力を受け付けるチャンネルダウンキーを有する操作部と、を備える放送受信装置において、
前記メイン制御部は、以下の（Ｃ１’）、（Ｃ２’）の制御をする、即ち、
（Ｃ１’）前記第１セレクタが前記外部入力部から入力した映像信号を出力している状態で、前記チャンネルダウンキーから指示入力を受けた場合に、前記第１セレクタが前記チューナ部により出力された映像信号を出力するように制御すると共に、前記チューナが選局するチャンネルを最大のチャンネルＣＨｎにするよう前記チューナ制御部に指示し、
（Ｃ２’）前記第１セレクタが前記外部入力部から入力した映像信号を出力している状態で、前記チャンネルアップキーから指示入力を受けた場合に、前記第１セレクタが前記チューナ部により出力された映像信号を出力するように制御すると共に、前記チューナが選局するチャンネルを最小のチャンネルＣＨ１にするよう前記チューナ制御部に指示する。
【００１０】
この構成では、前記第１セレクタが前記外部入力部から入力した映像信号を出力している状態で、チャンネルアップキー／チャンネルダウンキーから指示入力を受けた場合に、直接、最小／最大の番号を前記チューナ制御部に指示する。このようにメイン制御部は、最小／最大のチャンネル番号を前記チューナ制御部に指示するから、チューナ制御部による選局の制御がメイン制御部と別であっても、チューナ制御部が選局するチャンネルは、常に同じチャンネルになる。例えば、第１セレクタにより外部入力に切り換えたのち、チャンネルアップキー／チャンネルダウンキーから指示入力を受けた場合にも、常に同じチャンネルになる。チューナ制御部は、チャンネルを単にインクリメント／デクリメントするのではない。
【００１１】
したがって、ユーザは、チャンネルアップキー／チャンネルダウンキーを押し下げたときに、どのチャンネルに移動するのか明確になる。また、ユーザは、外部入力に切り換える前のチャンネルを覚えておく必要がない。よって、この構成によれば、チャンネル操作の使い勝手を向上させることができる。
【００１２】
なお、外部入力への切り換えは、操作部が、第１セレクタの切り換えを指示する指示入力を受け付ける第１セレクタキーを備える構成でも良いし、また、以下の（２）の構成でも良い。また、チャンネルＣＨ１〜ＣＨｎは、枝番号のチャンネルがあれば、これを含む。請求項の発明において、チャンネルＣＨ１〜ＣＨｎは、単に、チャンネルアップキー、チャンネルダウンキーで昇順、降順に切り換えられるチャンネルの並びと、最小チャンネル、最大チャンネルを説明するために用いたものである。また、以上で示した操作部のキーは、ボタンでなくてもよく、タッチパネルでも良い。
【００１３】
（２）  前記メイン制御部は、
（Ａ）前記第１セレクタが前記チューナ部により出力された映像信号を出力している状態で、かつ、前記チューナが選局しているチャンネルが前記チャンネルＣＨ１〜ＣＨｎのうちの両端のチャンネルであるＣＨ１、ＣＨｎのいずれかの状態で、それぞれ、前記チャンネルダウンキー、チャンネルアップキーから指示入力を受けた場合に、前記第１セレクタが前記外部入力部から入力した映像信号を出力するように制御する。
【００１４】
この構成では、上記（Ａ）の状態、即ち、前記メイン制御部は、ＣＨ１、ＣＨｎのいずれかのチャンネルの映像信号を第１セレクタから出力している状態で、それぞれ、前記チャンネルダウンキー、チャンネルアップキーから指示入力を受けた場合に、前記第１セレクタを前記外部入力部により出力された映像信号が出力されるように制御する。したがって、ユーザは、同一のチャンネルダウンキー、チャンネルアップキーを連打することにより、外部入力に切り換えることができ、かつ、そのまま連打すると、（１）で示したように、チューナから出力される映像信号になる。したがって、同一のキーの動作で、外部入力を含む全チャンネルを切り換えることができるから、チャンネル操作の使い勝手を向上させることができる。
【００１５】
（３）  前記外部入力部は、外部から複数の映像信号を入力して選択する第２セレクタをさらに備え、
前記メイン制御部は、前記第２セレクタの出力を制御するものであり、以下の（Ｂ）、（Ｃ３）の制御をする、即ち、
（Ｂ）前記第１セレクタが前記外部入力部から入力した映像信号を出力している状態で、前記チャンネルダウンキー、チャンネルアップキーから指示入力を受けた場合に、それぞれ、前記外部入力部から入力した映像信号の外部入力チャンネルを降順、昇順で切り換えるよう前記第２セレクタを制御し、
（Ｃ３）前記第１セレクタが前記外部入力部から入力した映像信号を出力している状態で、前記チャンネルダウンキー、チャンネルアップキーから指示入力を受けた場合に、それぞれ、前記外部から入力する映像信号のチャンネルが最小端、最大端の場合のみ、前記第１セレクタが前記チューナ部により出力された映像信号を出力するように制御する。
【００１６】
この構成では、外部から複数の映像信号を入力して選択する第２セレクタをさらに備える。そして、メイン制御部は、前記チャンネルダウンキー、チャンネルアップキーで、この第２セレクタの入力をも切り換える。したがって、チャンネルダウンキー、チャンネルアップキーは、外部入力の切り換え操作も兼ね備えている。したがって、チャンネルアップキー、チャンネルダウンキーを連打すると、複数の外部入力を含めすべてのチャンネルの映像信号を順番に出力させることができる。よって、チャンネル操作の使い勝手を向上させることができる。
【００１７】
また、上記（Ｃ３）によりこれらのキーが連打されつづけると、メイン制御部は、第１セレクタを前記チューナ部により出力された映像信号が出力されるように制御する。したがって、同一のキーの動作で、複数の外部入力を含む全チャンネルを切り換えることができるから、チャンネル操作の使い勝手を向上させることができる。
【発明の効果】
【００１８】
本発明によれば、チューナ側のマイコンとその他の動作が別のマイコンで構成される放送受信装置において、チャンネル操作の使い勝手を向上させることができる。
【発明を実施するための最良の形態】
【００１９】
図１を用いて、本実施形態のＤＶＤレコーダ１の構成について説明する。ＤＶＤレコーダ１は、デジタル放送を受信して、受信した番組を録画する録画装置である。
【００２０】
まず、ＤＶＤレコーダ１の構成を説明する前提として、物理チャンネル、仮想チャンネルについて説明する。チャンネル各放送局からはそれぞれ１つの所定周波数のＲＦ信号に乗せて１つのＴＳ（トランスポートストリーム）が送信されている。このＲＦ信号のチャンネルを物理チャンネルという。また、このＴＳから複数の放送番組（以下単に番組という。）が多重化されて送信されることが多く、それぞれの番組に対応するチャンネルを仮想チャンネルといい、ユーザがリモコン等で番組を選択するためのチャンネルである。
【００２１】
次に、ＤＶＤレコーダ１の構成について説明する。ＤＶＤレコーダ１は、チューナ部２と、録画部３、Ｄ／Ａ変換器６１、６２と、ＯＳＤ（オンスクリーンディスプレイ）合成部５、Ｄ／Ａ変換器６１，６２、メイン制御部７、操作部８を備える。またＤＶＤレコーダ１の外部に、表示器１０２を備える。
【００２２】
アンテナ１０１は、電波を受信する。チューナ部２（本発明のチューナ部に相当する。）は、チューナ２０、ＴＶデコーダ２５、チューナ制御部２６を備えている。チューナ２０は、チューナパック２１、地上デジタルモジュール２２、ＴＶデコーダ２５、チューナ制御部２６を備えている。チューナパック２１は、ＩＦフィルタと、ＩＦアンプ等とを備えている。ＩＦフィルタ（intermediate frequency）はチューナ制御部２６から指示された所定の物理チャンネルの信号を通す。ＩＦアンプは、この信号を増幅する。以上の構成により、チューナ部２１は、チューナ制御部２６により指定されたチャンネルの放送信号を抽出し、地上デジタルモジュール２２に出力する。
【００２３】
地上デジタルモジュール２２は、復調回路、誤り訂正回路、マルチプレクサ、バッファメモリを備えている。復調回路は、入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正する。
【００２４】
ＴＳには複数の仮想チャンネルの番組が多重化されて送信されている。また、ＴＳには、仮想チャンネル番号の情報が含まれている。デマルチプレクサは、これらの仮想チャンネルのうちの１チャンネルのパケットを抽出して、抽出したパケットに格納されているデータをバッファメモリに記憶させるとともに、チャンネル番号の情報をメイン制御部７に出力する。以上の構成により、地上デジタルモジュール２２は、ＴＳからメイン制御部７が指定した所定の仮想チャンネルの映像信号、チャンネル番号の情報を出力する。
【００２５】
ＴＶデコーダ２５は、チューナ制御部２６からの指示又は許可を受けてから、チューナ２１内のバッファメモリが記憶するデータを適宜読み出す。そして、読み出したデータから映像データと音声データとを分離する。また、ＴＶデコーダ２５は、映像データと音声データを両データを伸長し、出力する。
【００２６】
チューナ制御部２６は、チューナ部２内の動作を制御するマイコンで構成し、ＭＰＵ、チューナ制御部２６内のサブプログラムを格納するＲＯＭ（不図示）、チューナ制御部２６の計算結果を一時的に記憶するＲＡＭ（不図示）を備え、ＤＶＤレコーダ１内の各部を制御する。
【００２７】
記録部３は、エンコーダと、ＤＶＤ等の記録媒体へアクセスする記録／読み出し部と、デコーダとを備え、メイン制御部７の図示しない録画予約機能の制御により、地上デジタルモジュール２２の映像信号と音声信号を記録する。エンコーダは、例えばＭＰＥＧ形式にエンコードする。記録／読み出し部は、エンコードした映像信号を記録媒体（着脱可能なもののみならず添え付けのものを含む）への記録すると共に、記録した映像信号の読み出しを行う。記録媒体としては、ＣＤ、ＤＶＤ，ハードディスク、ビデオテープ等であり、映像信号を記録できるものであれば、何でも良い。記録／読み出し部は、例えば、記録媒体がＤＶＤであれば、光学ピックアップである。デコーダは、ドライブで読み出した映像信号をデコードする。
【００２８】
ＯＳＤ合成部５は、ＤＶＤレコーダ１の各種設定を表示するための文字図形の映像信号を出力する。ＯＳＤ合成部５は、ＯＳＤ画像メモリを備えており、メイン制御部７（ＤＶＤ再生時）、チューナ制御部２６（放送受信時）から与えられる制御信号に基づいて、このＯＳＤ画像メモリが記憶している文字又は図形の映像信号を生成し、出力する。また、ＴＶデコーダ２５または録画部３内のデコーダから映像信号が出力されている場合には、ＯＳＤ合成部５は、この映像信号を合成する。例えば、ＯＳＤ合成部５は、ＤＶＤを再生しているときは、ＤＶＤ再生の情報を表す映像信号を生成する。また、チューナ部２で放送を受信して表示しているときは、チャンネル情報を表す映像信号を生成する。
【００２９】
Ｄ／Ａ変換部６１は、ＯＳＤ合成部５から出力した映像信号をアナログの映像信号に変換し、外部の表示器１０２（テレビジョン受像機等）に出力する。Ｄ／Ａ変換部６２は、ＴＶデコーダ２５、または録画部３内のデコーダから出力された音声信号をアナログの音声信号に変換し、スピーカ１０３に出力する。
【００３０】
メイン制御部７は、マイコンで構成し、ＭＰＵ、メイン制御部７内のサブプログラムを格納するＲＯＭ（不図示）、メイン制御部７の計算結果を一時的に記憶するＲＡＭ（不図示）を備え、ＤＶＤレコーダ１内の各部を制御する。例えば、チューナ２１内のバッファＲＡＭへの記録、読み出しタイミングや、ＴＶデコーダ２５の出力または録画部３内のデコーダの出力の切り換え、録画部３への記録タイミングなどを制御する。
【００３１】
リモコン受光部８はリモコンからの赤外信号を受け付ける。操作部８は、メイン制御部７を操作するための制御入力を受け付ける。ＤＶＤレコーダ１またはリモコンの操作子が押下げられると、所定の制御入力がメイン制御部７に入力される。
【００３２】
なお、この実施形態ではＤ／Ａ変換部６１、６２を設けているが、外部にデジタル信号対応の表示器を接続する場合は、Ｄ／Ａ変換部６１、６２を設ける必要はない。また、この実施形態では、アンテナ１０１から受信しているが、ケーブルテレビ送信網を通じて受信するものでも良い。
【００３３】
次に、図２を用いて、ＤＶＤレコーダ１のチャンネル移動の様子を表す。図２の点線の矢印は、これらのキーの指示入力がリモコン受光部８より入力されたことを表している。また、実線の矢印は、チャンネルの移動を表している。
【００３４】
チャンネルアップキー８１が連打されると、メイン制御部７は、チューナ制御部２６に選局するチャンネルをＣＨ１→ＣＨｎの方向に昇順にインクリメントするよう指示する。また、図２の（Ａ−１）に示すように、最大のチャンネルＣＨｎからチャンネルアップキー８１が押されると、メイン制御部７は、第１セレクタ４を最大のチャンネルＣＨｎから外部入力部９の外部入力に切り換えるよう制御する。
図２の（Ｃ２’）に示すように、外部入力の状態から、チャンネルアップキー８１が押されると、メイン制御部７は、第１セレクタ４をチューナ部２の出力に切り換えるよう制御する。また、同時に、メイン制御部７は、最小のチャンネルの選局をチューナ制御部２６に指示する。これにより、第１セレクタ４からは、最小のチャンネルＣＨ１の映像信号が出力される。このように外部入力の映像信号を出力している状態から、チャンネルアップキー８１が押されると、必ずチャンネルＣＨ１に移動する。（Ｄ）のようにセレクタキー８３を押して外部入力にした後、（Ｃ２’）のようにチャンネルアップキー８１を押した場合に、セレクタキー８３を押す前のチャンネルがＣＨｋだったとしても必ずチャンネルＣＨ１に移動する。インクリメントしてＣＨｋ＋１に移動するのではない。したがって、移動するチャンネルが明確になり、ユーザは、セレクタキー８３を押す前のチャンネル覚えておく必要がない。よって、この実施形態のＤＶＤレコーダ１によれば、チャンネル操作の使い勝手が向上する。
【００３５】
チャンネルダウンキー８２が連打されると、メイン制御部７は、チューナ制御部２６に選局するチャンネルをＣＨｎ→ＣＨ１の方向に降順にデクリメントするよう指示する。また、図２の（Ａ−２）に示すように、最小のチャンネルＣＨ１からチャンネルダウンキー８２が押されると、メイン制御部７は、第１セレクタ４を最小のチャンネルＣＨ１から外部入力部９の外部入力に切り換えるよう制御する。
また、図２の（Ｃ１’）に示すように外部入力の状態から、チャンネルダウンキー８２が押されると、メイン制御部７は、直接最大のチャンネルＣＨｎの選局をチューナ制御部２６に指示する。ここで、「チャンネルを直接、選局する」とは、チャンネルをインクリメント、デクリメントするような指示をせずに、直接的に、特定のチャンネルを指示することをいう（以下、同じ。）。これにより、第１セレクタ４からは、最大のチャンネルＣＨｎの映像信号が出力される。
【００３６】
ＣＨｋ（ｋ＝１〜ｎのいずれか）からセレクタキー８３が押されると、（Ｄ）に示すように、メイン制御部７は、第１セレクタ４を外部入力に切り換えるよう制御し、外部入力部９から入力した映像信号が出力される。この外部入力の状態から、チャンネルアップキー８１が押されると、（Ｃ２’）に示すようにチャンネルＣＨ１に移動する。外部入力の状態から、チャンネルダウンキー８２が押されると、図２の（Ｃ１’）に示すようにチャンネルＣＨｎに移動する。以上のとおり、外部入力の映像信号を出力している状態から、チャンネルダウンキー８２が押されると、必ずチャンネルＣＨｎに移動する。（Ｄ）のようにセレクタキー８３を押して外部入力にした後、（Ｃ１’）のようにチャンネルダウンキー８２を押した場合に、セレクタキー８３を押す前のチャンネルがＣＨｋだったとしても必ずチャンネルＣＨｎに移動する。デクリメントしてＣＨｋ−１に移動するのではない。したがって、移動するチャンネルが明確になり、ユーザは、セレクタキー８３を押す前のチャンネル覚えておく必要がない。よって、この実施形態のＤＶＤレコーダ１によれば、チャンネル操作の使い勝手が向上する。
【００３７】
なお、（Ａ−１）、（Ａ−２）は、本発明の（Ａ）に相当する。（Ｃ１’）は、本発明の（Ｃ１’）に相当する。（Ｃ２’）は、本発明の（Ｃ２’）に相当する。
【００３８】
次に、図３を用いて、第１実施形態のＤＶＤレコーダのチャンネルアップキーの入力がリモコン受光部８から入力された場合の処理について説明する。
【００３９】
ＳＴ１で、メイン制御部７は、第１セレクタ４が外部入力の状態か判断する。第１セレクタ４が外部入力の状態であれば（ＳＴ１のＹＥＳ）、ＳＴ２で、メイン制御部７は、第１セレクタ４をチューナ部２から出力される映像信号に切り換えるよう制御する。また、メイン制御部７は、ＣＨ１〜ＣＨｎのうち、直接、最小のチャンネルＣＨ１を選局するようチューナ制御部２６に対し指示する。第１セレクタ４が外部入力の状態でなければ（ＳＴ１のＮＯ）、ＳＴ３で、チューナ部２が出力しているチャンネルが最大のチャンネルＣＨｎかどうか判断する。この判断は、チューナ制御部２６に問い合わせなくても、メイン制御部７がチューナ制御部２６に指示したチャンネルの履歴から計算することができる。チューナ部２が出力しているチャンネルが最大のチャンネルＣＨｎであれば（ＳＴ３のＹＥＳ）、ＳＴ４で、メイン制御部７は、第１セレクタ４の出力を外部入力部９の映像信号に切り換えるよう制御する。チューナ部２が出力しているチャンネルが最大のチャンネルＣＨｎでなければ（ＳＴ３のＹＥＳ）、ＳＴ５で、メイン制御部７は、チューナ制御部２６にチャンネルをインクリメントするよう指示する。ＳＴ２、ＳＴ４，ＳＴ５の後、図２のフローは終了する。
【００４０】
次に、図４を用いて、第１実施形態のＤＶＤレコーダのチャンネルダウンキーの入力がリモコン受光部８からされた場合の処理について説明する。
【００４１】
ＳＴ１１で、メイン制御部７は、第１セレクタ４が外部入力の状態か判断する。第１セレクタ４が外部入力の状態であれば（ＳＴ１１のＹＥＳ）、メイン制御部７は、第１セレクタ４の出力をチューナ部２から出力される映像信号に切り換えるよう制御する。また、メイン制御部７は、ＣＨ１〜ＣＨｎのうち、直接、最大のチャンネルＣＨ１１を選局するようチューナ制御部２６に対し指示する。第１セレクタ４が外部入力の状態でなければ（ＳＴ１１のＮＯ）、ＳＴ１３で、チューナ部２が出力しているチャンネルが最大のチャンネルＣＨｎかどうか判断する。この判断は、チューナ制御部２６に問い合わせなくても、メイン制御部７がチューナ制御部２６に指示したチャンネルの履歴から計算することができる。チューナ部２が出力しているチャンネルが最小のチャンネルＣＨ１であれば（ＳＴ１２のＹＥＳ）、ＳＴ４で、メイン制御部７は、第１セレクタ４を外部入力部９の映像信号に切り換えるよう制御する。チューナ部２が出力しているチャンネルが最小のチャンネルＣＨ１でなければ（ＳＴ１２のＹＥＳ）、ＳＴ１５で、メイン制御部７は、チューナ制御部２６にチャンネルをインクリメントするよう指示する。ＳＴ１２、ＳＴ１４，ＳＴ１５の後、図２のフローは終了する。
【００４２】
次に、図５を用いて、第１の実施形態のＤＶＤレコーダ１の応用に係る第２の実施形態のＤＶＤレコーダ１Ａについて説明する。ＤＶＤレコーダ１Ａは、複数の外部入力の映像信号を映像出力機器１０５、１０６、１０７を入力するものであり、その入力した映像信号の選択をする第２セレクタ９１を備え、メイン制御部７は、第２セレクタ９１の動作も制御する。これ以外の構成は、第１の実施形態のＤＶＤレコーダ１と同じであり、以上の説明を準用する。
【００４３】
次に、図６を用いて、第２実施形態のＤＶＤレコーダ１Ａのチャンネル移動の様子について説明する。このＤＶＤレコーダ１Ａは、チューナ部２の放送のいずれかのチャンネルの状態からセレクタキー８３が押されたとき、メイン制御部７は、第２セレクタ９１を映像出力機器１０５の外部入力（１）に切り換えるよう制御する。
【００４４】
最大のチャンネルＣＨｎからチャンネルアップキー８１が押されたときは、（Ａ−１）に示すように、メイン制御部７は、第２セレクタ９１を映像出力機器１０５の外部入力（１）に切り換えるよう制御する。さらに、チャンネルアップキー８１が連打されると、（Ｂ−１）、（Ｂ−２）に示すように、メイン制御部７は、映像出力機器１０６の外部入力（２）→映像出力機器１０７の外部入力（３）へ順次切り換えるよう制御する。さらに、チャンネルアップキー８１が連打されると、（Ｃ２）に示すように、メイン制御部７は、第１セレクタ４の出力をチューナ部２側の映像信号に切り換えるよう制御すると共に、チューナ制御部２６に対し直接、最小のチャンネルＣＨ１を選局するよう指示する。
【００４５】
また、図６の（Ａ−２）に示すように、最小のチャンネルＣＨ１からチャンネルダウンキー８２が押されたときは、メイン制御部７は、第２セレクタ９１を映像出力機器１０９の外部入力（３）に切り換えるよう制御する。さらに、チャンネルダウンキー８２が連打されると、（Ｂ−３）、（Ｂ−４）に示すように、メイン制御部７は、映像出力機器１０６の外部入力（２）→映像出力機器１０５の外部入力（１）へ順次切り換えるよう制御する。さらに、チャンネルダウンキー８２が連打されると、（Ｃ１）に示すように、メイン制御部７は、第１セレクタ４の出力をチューナ部２側の映像信号に切り換えるよう制御すると共に、チューナ制御部２６に対し、直接、最大のチャンネルＣＨｎを選局するよう指示する。このように、チャンネルダウンキー８１、チャンネルアップキー８２は、外部入力の切り換え操作も兼ね備えている。したがって、チャンネルアップキー８１、チャンネルダウンキー８２を連打すると、複数の外部入力を含めすべてのチャンネルの映像信号を順番に出力させることができる。したがって、チャンネル操作の使い勝手を向上させることができる。
【００４６】
さらに、ＣＨｋ（ｋ＝１〜ｎのいずれか）からセレクタキー８３が押されると、（Ｄ’）に示すように、メイン制御部７は、第１セレクタ４を外部入力（１）に切り換えるよう制御し、外部入力部９から入力した映像信号が出力される。
【００４７】
なお、図６で示した（Ａ−１）、（Ａ−２）は、本発明の（Ａ）に相当する。（Ｂ−１）、（Ｂ−２）、（Ｂ−３）、（Ｂ−４）は、本発明の（Ｂ）に相当する。（Ｃ１）は、本発明の（Ｃ１）に相当する。（Ｃ２）は、本発明の（Ｃ２）に相当する。
【００４８】
次に図７のフロー図を用いて、ＤＶＤレコーダ１Ａでチャンネルアップキー８１が押し下げられた場合の処理について説明する。この処理のうち、ＳＴ１、ＳＴ３、ＳＴ５が図３の処理と同様であり、以上の説明を準用する。
【００４９】
ＳＴ２０１で、現在の外部入力のチャンネルが最大であるかどうか、即ち、外部入力のチャンネル（３）であるかどうか判断する。外部入力のチャンネル（１）〜（３）が最大であれば（ＳＴ２０１のＹＥＳ）、図３のＳＴ２に相当するＳＴ２０２の処理を行う。外部入力のチャンネル（１）〜（３）が最大でなければ（ＳＴ２０１のＮＯ）、即ち、チャンネル（１）、（２）であれば、ＳＴ２０３の処理を行う。
【００５０】
ＳＴ２０２では、メイン制御部７は、第１セレクタ４をチューナ部２から出力される映像信号に切り換えるよう制御する。また、メイン制御部７は、直接、ＣＨ１〜ＣＨｎのうちの最小のチャンネルＣＨ１を選局するようチューナ制御部２６に対し指示する。
【００５１】
ＳＴ２０３では、メイン制御部７は、第２セレクタ９１を制御して、外部入力のチャンネルをインクリメントさせる。チャンネル（１）であれば、チャンネル（２）にし、チャンネル（２）であれば、チャンネル（３）にする。ＳＴ２０２、ＳＴ２０３の後、図７のフローは終了する。
【００５２】
次に図８のフロー図を用いて、ＤＶＤレコーダ１Ａでチャンネルダウンキー８２が押し下げられた場合の処理について説明する。この処理のうち、ＳＴ１１、ＳＴ１３、ＳＴ１５が図３の処理と同様であり、以上の説明を準用する。
【００５３】
ＳＴ１２１で、現在の外部入力のチャンネルが最小であるかどうか、即ち、外部入力のチャンネル（３）であるかどうか判断する。外部入力のチャンネル（１）〜（３）が最小であれば（ＳＴ１２１のＹＥＳ）、図３のＳＴ３に相当するＳＴ１２２の処理を行う。現在の外部入力チャンネルが最小でなければ（ＳＴ１２１のＮＯ）、即ち、チャンネル（２）、（３）であれば、ＳＴ１２３の処理を行う。
【００５４】
ＳＴ１２２では、メイン制御部７は、第１セレクタ４をチューナ部２から出力される映像信号に切り換えるよう制御する。また、メイン制御部７は、直接、ＣＨ１〜ＣＨｎのうちの最大のチャンネルＣＨｎを選局するよう、チューナ制御部２６に対し指示する。
【００５５】
ＳＴ１２３では、メイン制御部７は、外部入力のチャンネルをデクリメントさせるよう第２セレクタ９１を制御する。チャンネル（３）であれば、チャンネル（２）にし、チャンネル（２）であれば、チャンネル（１）にする。ＳＴ１２２、ＳＴ１２３の後、図７のフローは終了する。
【００５６】
なお、以上で説明した、チャンネルＣＨ１〜ＣＨｎは、枝番号のチャンネルがあれば、これを含む概念である。以上の説明で、チャンネルＣＨ１〜ＣＨｎは、枝番号のチャンネルの有無を問わず、単に、チャンネルアップキー８１、チャンネルダウンキー８２で昇順、降順に切り換えられるチャンネルの並びと、最小チャンネル、最大チャンネルを説明するためのものである。
また、以上で示したリモコン８０のキーは、ボタンでなくてもよく、タッチパネルでも良い。
また、以上の実施形態の装置として、必ずしも録画部３に相当する構成を備える必要はなく、映像信号を再生できなくても、外部入力部９から入力する映像信号とチューナ部２から出力する映像信号を切り換えることができればよい。
また、第２実施形態では、外部チャンネルの数は３チャンネルに限られず、２チャンネルでも４チャンネル以上でも良い。
また、以上の実施形態で、外部入力の状態からセレクタキー８３が押された場合には、チューナの選局を外部入力になる前の元のチャンネルに戻すようにしてもよい。この場合には、制御部７は、チューナ制御部２６に選局を指示する必要はなく、制御部７が第１セレクタ４をチューナ側に切り換えれば足りる。
【図面の簡単な説明】
【００５７】
【図１】第１実施形態のＤＶＤレコーダの構成図
【図２】第１実施形態のＤＶＤレコーダのチャンネル移動の様子を表す図
【図３】第１実施形態のＤＶＤレコーダのチャンネルアップキー入力処理のフロー図
【図４】第１実施形態のＤＶＤレコーダのチャンネルアップキー入力処理のフロー図
【図５】第２実施形態のＤＶＤレコーダの構成図
【図６】第２実施形態のＤＶＤレコーダのチャンネル移動の様子を表す図
【図７】第２実施形態のＤＶＤレコーダのチャンネルアップキー入力処理のフロー図
【図８】第２実施形態のＤＶＤレコーダのチャンネルアップキー入力処理のフロー図
【図９】従来形態のＤＶＤレコーダのチャンネル移動の様子を表す図
【符号の説明】
【００５８】
１−ＤＶＤレコーダ、  ２−チューナ部、
２１−チューナパック、  ２２−地上デジタルモジュール、
２５−ＴＶデコーダ、  ２６−チューナ制御部、
３−録画部、  ４−第１セレクタ、  ５−ＯＳＤ合成部、
６１−Ｄ／Ａ変換器、  ６２−Ｄ／Ａ変換器、
７−メイン制御部、  ８−リモコン受光部、
８０−リモコン、  ８１−チャンネルアップキー、
８２−チャンネルダウンキー、  ８３−セレクタキー、
９−外部入力部、  ９１−第２セレクタ、
１０１−アンテナ、  １０２−表示器、
１０５−映像出力機器、  １０６−映像出力機器、  １０７−映像出力機器
【図１】
2008187584.tif 000003
【図２】
2008187584.tif 000004
【図３】
2008187584.tif 000005
【図４】
2008187584.tif 000006
【図５】
2008187584.tif 000007
【図６】
2008187584.tif 000008
【図７】
2008187584.tif 000009
【図８】
2008187584.tif 000010
【図９】
2008187584.tif 000011